(57)【要約】      （修正有）【課題】ブラケットに対する車載ユニットの着脱作業を効率的に行う。【解決手段】車載ユニットの支持装置は、車載ユニットが係合可能であるブラケット２０と、ブラケットに保持された状態において、ブラケットに係合した車載ユニット１０に付勢力を付与しない退避位置と、ブラケットに係合した車載ユニットをブラケット側に押し付ける押圧位置との間でブラケットに対して移動可能に構成された少なくとも一つの付勢部材と、を備える。そして、退避位置と押圧位置との間で付勢部材を移動させることで、ブラケットへの車載ユニットの状態（固定状態又は固定解除状態）が切り替わる。【選択図】図１
2018144712.tif 000002
【特許請求の範囲】
【請求項１】
車載ユニットが係合可能であるブラケットと、
前記ブラケットに保持された状態において、前記ブラケットに係合した前記車載ユニットに付勢力を付与しない退避位置と、前記ブラケットに係合した前記車載ユニットを前記ブラケット側に押し付ける押圧位置との間で前記ブラケットに対して移動可能に構成された少なくとも一つの付勢部材と、
を備えることを特徴とする車載ユニットの支持装置。
【請求項２】
前記ブラケットは、前記付勢部材に対して該付勢部材の付勢方向の下流側に位置し、前記車載ユニットの前端部と係合可能に構成された少なくとも一つの第１係合部を含むことを特徴とする請求項１に記載の車載ユニットの支持装置。
【請求項３】
前記ブラケットは、前記車載ユニットの両側壁部にそれぞれ設けられた一対の係合部と係合可能に構成された一対の第２係合部をさらに含み、
各々の前記付勢部材は、前記退避位置において、前記一対の係合部がそれぞれ前記ブラケットの前記一対の第２係合部に係合するように前記第１係合部を回動中心として前記車載ユニットを回動させたとき、前記車載ユニットと干渉しない
ように構成されたことを特徴とする請求項２に記載の車載ユニットの支持装置。
【請求項４】
前記ブラケットは、前記車載ユニットの前記前端部を一つの前記第１係合部により保持するとともに、前記車載ユニットの後端部側において二つの前記付勢部材により前記車載ユニットを前方に付勢することで、前記車載ユニットを３点支持するように構成されたことを特徴とする請求項２又は３に記載の車載ユニットの支持装置。
【請求項５】
前記ブラケットは、前記車載ユニットの前記前端部を二つの前記第１係合部により保持するとともに、前記車載ユニットの後端部側において一つの前記付勢部材により前記車載ユニットを前方に付勢することで、前記車載ユニットを３点支持するように構成されたことを特徴とする請求項２又は３に記載の車載ユニットの支持装置。
【請求項６】
前記第１係合部は、前記車載ユニットの前記前端部に設けられた前方側凸部が係合される凹部を含み、
前記第１係合部の前記凹部は湾曲形状の周縁を有することを特徴とする請求項２乃至５の何れか一項に記載の車載ユニットの支持装置。
【請求項７】
前記ブラケットは、前記車載ユニットの両側壁部にそれぞれ設けられた一対の係合部と係合可能に構成された一対の第２係合部を含み、
前記少なくとも一つの付勢部材は、前記車載ユニットの一対の前記係合部をそれぞれ前記第２係合部に向けて付勢するための一対のばねを含む
ことを特徴とする請求項１乃至６の何れか一項に記載の車載ユニットの支持装置。
【請求項８】
前記一対のばねを連結する連結部をさらに備えることを特徴とする請求項７に記載の車載ユニットの支持装置。
【請求項９】
前記少なくとも一つの付勢部材は、前記車載ユニットの後端部のうち前記車載ユニットの幅方向中央領域を前方側に押圧するための一つのばねを含むことを特徴とする請求項１乃至６の何れか一項に記載の車載ユニットの支持装置。
【請求項１０】
各々の前記付勢部材は、
前記付勢部材が前記退避位置にあるときに前記ブラケットに係止される第１山部と、
前記付勢部材が前記押圧位置にあるときに前記ブラケットに係止される第２山部と、
を含む板ばねであることを特徴とする請求項１乃至９の何れか一項に記載の車載ユニットの支持装置。
【請求項１１】
各々の前記付勢部材は、
前記押圧位置において前記車載ユニットに当接する屈曲部と、
前記屈曲部を介して接続される一対のアーム部と、
を有する板ばねであり、
前記ブラケットには、前記板ばねのうち前記屈曲部を含む部位が挿入される挿入孔が設けられた
ことを特徴とする請求項１乃至１０の何れか一項に記載の車載ユニットの支持装置。
【請求項１２】
各々の前記付勢部材は、前記ブラケットに対して着脱自在に設けられることを特徴とする請求項１乃至１１の何れか一項に記載の車載ユニットの支持装置。
【請求項１３】
車載ユニットとブラケットとの係合状態を切り替えるステップと、
少なくとも一つの付勢部材が前記ブラケットに保持された状態で、前記ブラケットに係合した前記車載ユニットに付勢力を付与しない退避位置と、前記ブラケットに係合した前記車載ユニットを前記ブラケット側に押し付ける押圧位置との間で各々の前記付勢部材を前記ブラケットに対して移動させるステップと、
を備えることを特徴とする車載ユニットの着脱方法。
【発明の詳細な説明】
【技術分野】
【０００１】
本発明は、車載ユニットの支持装置及び車載ユニットの着脱方法に関する。
【背景技術】
【０００２】
従来、車両前方の情報を取得して記録したり、或いは、運転者による車両の運転を支援したりする目的で車室内に設置される車載カメラが知られている。この車載カメラは、車両に対して車室内の所定の位置に取り付けられ、その取り付け位置が維持されるように、一般的には、フロントガラスの内面やフロントガラスとルームミラーとの間の天井に接着又はねじ止めにより固定されたブラケットに取り付けられる。
【０００３】
例えば、特許文献１に開示された従来の車載カメラは、フロントガラスに取り付けられるブラケットと、車載ユニットとしてのカメラ本体と、を備え、ブラケットにはカメラ本体に設けられた第１、第２及び第３の凸部をそれぞれ係止する第１、第２及び第３の引掛部と、これら第１乃至第３の引掛部に上記第１乃至第３の凸部が係止された状態でカメラ本体をブラケット側に押し付けるための押付手段としての板ばねが設けられている。そして、カメラ本体を車両に取り付ける際は、カメラ本体の後端を板ばねに当接させた後、該板ばねの付勢力に抗しながらカメラ本体を後方に移動させつつ該カメラ本体の後方側に設けられた第２、第３の凸部をブラケットの後方側に設けられた第２、第３の引掛部に係止させ、続いて、カメラ本体を前方に移動させつつ該カメラ本体の先端に設けられた第１の凸部をブラケットの先端に設けられた第１の引掛部に係止させる。このように、特許文献１の車載カメラは、カメラ本体をブラケットに取り付ける際に、カメラ本体側の凸部をブラケット側の引掛部に係止させる動作と板ばねでカメラ本体をブラケット側に押圧する動作とを１連の動作で行うことができるようになっている。
【０００４】
また、特許文献２には、車両に取り付けられるとともにカメラ本体の凸部を支持する支持部を含む第１ブラケットと、この第１ブラケットと係合し該第１ブラケットとの間に上記カメラ本体を保持する第２ブラケットとを備え、第２ブラケットの押圧手段で上記凸部を第１ブラケット側に押圧するとともに、第１ブラケット及び第２ブラケットの逆止係合により第２ブラケットの離脱を防止する車載カメラが開示されている。
【先行技術文献】
【特許文献】
【０００５】
【特許文献１】国際公開第２０１３／１４１０００号
【特許文献２】特開２０１６−１６８３０号公報
【発明の概要】
【発明が解決しようとする課題】
【０００６】
しかし、上記特許文献１に記載の車載カメラは、カメラ本体を車両に取り付ける際に該カメラ本体をブラケットに挿入しながら板ばねを撓ませる必要があるため、取り付け時に作業者に負荷がかかり、取り付け作業が容易でないという問題があった。また、取り付けの際は第２及び第３の凸部のうち一方が係止されずに外れた状態（固定不良）でもカメラ本体がブラケットから脱落しないため、固定不良に気づかず、車両走行中に振動でカメラ本体が脱落するおそれがある。また、特許文献２に記載の車載カメラは、押圧手段が第２ブラケットと一体であるため、車載ユニットの仕様変更や、使用による劣化に応じて押圧手段のみを変更すれば足りる場合でも第２ブラケットごと交換する必要があり、経済的でないという問題があった。
【０００７】
上記事情に鑑み、本発明における幾つかの実施形態では、上述した課題の少なくとも１つを解決することを目的とし、ブラケットに対する車載ユニットの着脱作業を効率的かつ確実に行うことを目的とする。
【課題を解決するための手段】
【０００８】
（１）本発明の少なくとも幾つかの実施形態に係る車載ユニットの支持装置は、
車載ユニットが係合可能であるブラケットと、
前記ブラケットに保持された状態において、前記ブラケットに係合した前記車載ユニットに付勢力を付与しない退避位置と、前記ブラケットに係合した前記車載ユニットを前記ブラケット側に押し付ける押圧位置との間で前記ブラケットに対して移動可能に構成された少なくとも一つの付勢部材と、
を備える。
【０００９】
上記（１）の構成によれば、退避位置と押圧位置との間で付勢部材を移動させることで、ブラケットへの車載ユニットの状態（固定状態又は固定解除状態）を切り替えることができる。即ち、付勢部材が退避位置にあるとき、ブラケットに係合した車載ユニットには付勢部材による付勢力が作用しないので、車載ユニットとブラケットとは互いに固定されておらず、固定解除状態にある。しかし、付勢部材を退避位置から押圧位置に移動させると、ブラケットに係合した車載ユニットが付勢部材によってブラケット側に押し付けられるので、車載ユニットとブラケットとが固定状態となる。よって、付勢部材の移動によって、車載ユニットのブラケットへの着脱作業を容易に行うことができる。
また、付勢部材が退避位置にあるとき、付勢部材がブラケットに保持された状態となっているため、付勢部材がブラケットから脱落することがない。一方、付勢部材が退避位置にあるとき、ブラケットに係合した車載ユニットには付勢部材による付勢力が作用しないため、付勢部材による付勢力の影響を受けずに、ブラケットへの車載ユニットの係合状態の切替えを容易に行うことができる。よって、ブラケットに対する車載ユニットの着脱作業を効率的かつ確実に行うことができる。
【００１０】
（２）幾つかの実施形態では、上記（１）に記載の車載ユニットの支持装置において、
前記ブラケットは、前記付勢部材に対して該付勢部材の付勢方向の下流側に位置し、前記車載ユニットの前端部と係合可能に構成された少なくとも一つの第１係合部を含む。
【００１１】
上記（２）の構成によれば、車載ユニットの前端部をブラケットの第１係合部に係合させ、押圧位置にある付勢部材によって車載ユニットを前方に付勢することで、車載ユニットをブラケットに容易に固定することができる。よって、ブラケットに対する車載ユニットの着脱作業を効率的かつ確実に行うことができる。
なお、本明細書において、車載ユニットの「前端部」とは、付勢部材の付勢方向において下流側に位置する車載ユニットの端部をいう。逆に、車載ユニットの「後端部」とは、付勢部材の付勢方向において上流側に位置する車載ユニットの端部をいう。このように、車載ユニットの「前端部」又は「後端部」との用語は、付勢部材の付勢方向との関係で一義的に定まるものであり、車載ユニットの機能面から定まる方向性と必ずしも関係性を有しない。同様に、本明細書において、車載ユニットとの関係で「前方」及び「後方」と言うとき、それぞれ、付勢部材の付勢方向における下流側に向かう方向及び上流側に向かう方向を意味する。
【００１２】
（３）幾つかの実施形態では、上記（２）に記載の車載ユニットの支持装置において、
前記ブラケットは、前記車載ユニットの両側壁部にそれぞれ設けられた一対の係合部と係合可能に構成された一対の第２係合部をさらに含み、
各々の前記付勢部材は、前記退避位置において、前記一対の係合部がそれぞれ前記ブラケットの前記一対の第２係合部に係合するように前記第１係合部を回動中心として前記車載ユニットを回動させたとき、前記車載ユニットと干渉しない
ように構成される。
【００１３】
上記（３）の構成によれば、各々の付勢部材が退避位置にあるとき、第１係合部を回動中心とする車載ユニットの回動を付勢部材が妨げないので、車載ユニットの回動により、車載ユニットとブラケットとの係合状態を容易に切り替えることができる。
【００１４】
（４）幾つかの実施形態では、上記（２）又は（３）に記載の車載ユニットの支持装置において、
前記ブラケットは、前記車載ユニットの前記前端部を一つの前記第１係合部により保持するとともに、前記車載ユニットの後端部側において二つの前記付勢部材により前記車載ユニットを前方に付勢することで、前記車載ユニットを３点支持するように構成される。
【００１５】
上記（４）の構成によれば、ブラケットが車載ユニットを前方１箇所と後方２箇所において３点支持するようにしたので、ブラケットに対する車載ユニットの姿勢を適正に保持することができる。
【００１６】
（５）幾つかの実施形態では、上記（２）又は（３）に記載の車載ユニットの支持装置において、
前記ブラケットは、前記車載ユニットの前記前端部を二つの前記第１係合部により保持するとともに、前記車載ユニットの後端部側において一つの前記付勢部材により前記車載ユニットを前方に付勢することで、前記車載ユニットを３点支持するように構成される。
【００１７】
上記（５）の構成によれば、ブラケットが車載ユニットを前方２箇所と後方１箇所において３点支持するようにしたので、ブラケットに対する車載ユニットの姿勢を適正に保持することができる。
【００１８】
（６）幾つかの実施形態では、上記（２）乃至（５）の何れか一つに記載の車載ユニットの支持装置において、
前記第１係合部は、前記車載ユニットの前記前端部に設けられた前方側凸部が係合される凹部を含み、
前記第１係合部の前記凹部は湾曲形状の周縁を有する。
【００１９】
上記（６）の構成によれば、第１係合部の凹部の周縁を湾曲形状としたので、車載ユニットの前方側凸部を第１係合部の凹部に円滑に係合させることができる。
【００２０】
（７）幾つかの実施形態では、上記（１）乃至（６）の何れか一つに記載の車載ユニットの支持装置において、
前記ブラケットは、前記車載ユニットの両側壁部にそれぞれ設けられた一対の係合部と係合可能に構成された一対の第２係合部を含み、
前記少なくとも一つの付勢部材は、前記車載ユニットの一対の前記係合部をそれぞれ前記第２係合部に向けて付勢するための一対のばねを含む。
【００２１】
上記（７）の構成によれば、車載ユニットの両側壁部に設けられた一対の係合部をそれぞれ付勢する一対のばねを設けたので、ブラケットへの車載ユニットの適切な姿勢で取り付けることができる。このため、例えば車載カメラのような取付け方向を高精度に管理すべき車載用計測機器をブラケットに取り付ける場合に特に有用である。
【００２２】
（８）幾つかの実施形態では、上記（７）に記載の車載ユニットの支持装置において、
前記一対のばねを連結する連結部をさらに備える。
【００２３】
上記（８）の構成によれば、一対のばねを連結部により連結したので、一対のばねを一度に移動させることができ、ブラケットに対する車載ユニットの着脱作業の効率化を図ることができる。
【００２４】
（９）幾つかの実施形態では、上記（１）乃至（６）の何れか一つに記載の車載ユニットの支持装置において、
前記少なくとも一つの付勢部材は、前記車載ユニットの後端部のうち前記車載ユニットの幅方向中央領域を前方側に押圧するための一つのばねを含む。
【００２５】
上記（９）の構成によれば、車載ユニットの後端部の幅方向中央領域を押圧するための一つのばねを退避位置と押圧位置との間で移動させるだけで、車載ユニットのブラケットに対する着脱を行うことができる。
【００２６】
（１０）幾つかの実施形態では、上記（１）乃至（９）の何れか一つに記載の車載ユニットの支持装置において、
各々の前記付勢部材は、
前記付勢部材が前記退避位置にあるときに前記ブラケットに係止される第１山部と、
前記付勢部材が前記押圧位置にあるときに前記ブラケットに係止される第２山部と、
を含む板ばねである。
【００２７】
上記（１０）の構成によれば、第１山部及び第２山部を含む板ばねを用いることで、退避位置及び押圧位置のそれぞれにおいて板ばね（付勢部材）を安定して保持することができる。このため、付勢部材の移動により、車載ユニットとブラケットとの固定状態を確実に切り替えることができる。
【００２８】
（１１）幾つかの実施形態では、上記（１）乃至（１０）の何れか一つに記載の車載ユニットの支持装置において、
各々の前記付勢部材は、
前記押圧位置において前記車載ユニットに当接する屈曲部と、
前記屈曲部を介して接続される一対のアーム部と、
を有する板ばねであり、
前記ブラケットには、前記板ばねのうち前記屈曲部を含む部位が挿入される挿入孔が設けられる。
【００２９】
上記（１１）の構成によれば、屈曲部及び一対のアーム部を有する板ばねをブラケットの挿入孔に挿入し、板ばねを退避位置から押圧位置まで移動させることで、板ばねの屈曲部により車載ユニットをブラケット側に押し付けて固定することができる。これにより、板ばねを用いた簡素な構成により、車載ユニットの支持装置を実現することができる。
【００３０】
（１２）幾つかの実施形態では、上記（１）乃至（１１）の何れか一つに記載の車載ユニットの支持装置において、
各々の前記付勢部材は、前記ブラケットに対して着脱自在に設けられる。
【００３１】
上記（１２）の構成によれば、ブラケットに対する付勢部材の着脱が可能であるため、例えば、付勢部材の経年使用に伴って付勢力が低下した場合に、付勢部材のみを交換することができる。また、車載ユニットの仕様変更に伴って要求される付勢力が変更された場合であっても、ブラケットの仕様を変更することなく、付勢部材の仕様のみを変更することも可能である。
【００３２】
（１３）本発明の少なくとも幾つかの実施形態に係る車載ユニットの着脱方法は、
車載ユニットとブラケットとの係合状態を切り替えるステップと、
少なくとも一つの付勢部材が前記ブラケットに保持された状態で、前記ブラケットに係合した前記車載ユニットに付勢力を付与しない退避位置と、前記ブラケットに係合した前記車載ユニットを前記ブラケット側に押し付ける押圧位置との間で各々の前記付勢部材を前記ブラケットに対して移動させるステップと、
を備える。
【００３３】
上記（１３）の構成によれば、退避位置と押圧位置との間で付勢部材を移動させることで、ブラケットへの車載ユニットの状態（固定状態又は固定解除状態）を切り替えることができる。よって、付勢部材の移動により、車載ユニットのブラケットへの着脱作業を容易に行うことができる。
【発明の効果】
【００３４】
本発明の幾つかの実施形態に係る車載ユニットの支持装置によれば、ブラケットに対する車載ユニットの着脱作業を効率的に行うことができる。
【図面の簡単な説明】
【００３５】
【図１】幾つかの実施形態に係る車載ユニットの支持装置の構成（組付け状態）を示す斜視図である。
【図２】幾つかの実施形態におけるブラケットの裏面（下面）側を示す斜視図である。
【図３】幾つかの実施形態における車載ユニットの組付け工程を示す説明図である。
【図４】幾つかの実施形態におけるブラケットの変形例を示す概略図である。
【図５】幾つかの実施形態におけるブラケットの構成の一部を示す概略図である。
【図６】幾つかの実施形態における板ばねとブラケットとの係合状態（退避位置）を示す概略図である。
【図７】（ａ）は幾つかの実施形態における板ばねの構成を示す側面図であり、（ｂ）は幾つかの実施形態における板ばねの変形例を示す側面図である。
【図８】幾つかの実施形態における板ばねの変形例を示す斜視図である。
【図９】幾つかの実施形態における車載ユニットの組付け工程を示す説明図である。
【図１０】幾つかの実施形態における車載ユニットの組付け工程を示す説明図である。
【図１１】幾つかの実施形態における板ばねとブラケットとの係合状態（押圧位置）を示す概略図である。
【図１２】幾つかの実施形態におけるブラケットと板ばねの構成を示す斜視図である。
【図１３】幾つかの実施形態におけるブラケットと板ばねの構成を示す斜視図である。
【発明を実施するための形態】
【００３６】
以下、添付図面に従って本発明の例示的な実施形態について説明する。ただし、以下に示す幾つかの実施形態に記載された構成部品の寸法、材質、形状、その相対的配置等は、特定的な記載がない限り本発明の範囲をこれに限定する趣旨ではなく、単なる説明例にすぎない。
【００３７】
［第１実施形態］
［全体構成］
図１は、本発明の幾つかの実施形態に係る車載ユニットの支持装置としての車載ユニットホルダ１（以下、単にホルダ１とも称する）の構成を示す斜視図である。同図に示すように、ホルダ１は、車室内の所定位置に取り付けられるブラケット２０と、車載ユニットとしての車載カメラ１０（カメラ本体）をブラケット２０側に付勢する付勢部材としての板ばね３０とを備えている。
尚、以下に説明する幾つかの実施形態では、車載ユニットホルダ１が車室内の予め定められた正位置に取り付けられた状態において車両の進行方向となる方向を前方として説明する。また、以下の説明で用いられる後方、右方、左方、上方、下方とは、前方側を正面とした場合の三角図法に従った方向であり、平面図、背面図等の説明も三角図法に従う。
【００３８】
幾つかの実施形態において、車載ユニットホルダ１は、車両の車室内におけるフロントガラスの内面に、又は、フロントガラスとルームミラーとの間のルーフ内面に取り付けられる。幾つかの実施形態において、車載ユニットホルダ１は、車両の左右方向（車幅方向）における略中央部において上記フロントガラス又はルーフ内面に取り付けられる。他の実施形態では、車載ユニットホルダ１は、車両の左右方向における左右何れかの位置に偏在して取り付けられてもよい。
【００３９】
［車載ユニット］
幾つかの実施形態において、車載カメラ１０は、例えば、ＣＣＤやＣＭＯＳ等の撮像素子（撮像センサ）によって車両の前方を撮像し、撮像した画像（或いは画像群で構成される映像）を記憶したり、或いは、運転者による車両の運転を支援したりするための運転支援ツールとして用いられる。幾つかの実施形態において、車載カメラ１０は、概略矩形である直方体状のハウジング１６を含む。ハウジング１６は、例えば、樹脂又は金属により形成されてもよい。このハウジング１６内には、撮像素子で取得した画像データを処理するための画像処理部、記憶部、入力／出力インターフェース等の電子回路や、音（音声を含む）、光又は振動等による報知部等が収納され得る。
【００４０】
幾つかの実施形態において、車載カメラ１０は、車両の前方を撮像可能となるように、ハウジング１６の上面側であって、且つ、前方に面するように配置されたレンズ部１５を備えていてもよい。幾つかの実施形態において、レンズ部１５は、その光軸が左右又は上下方向に調整可能に構成されていてもよい。
【００４１】
幾つかの実施形態において、車載カメラ１０の前端部には該前端部から前方に向けて突出する凸部１１（前方側凸部）が設けられていてもよい。凸部１１は、例えば、少なくともその前端の前面から下面に亘る部分が、車両の左右方向（車幅方向）に沿う軸を中心とする円弧状の曲面等により形成されてもよい。こうすることで、車載カメラ１０は、後述するブラケット２０のブラケット先端部２１に係合される際に、円滑に案内されることが可能となる。
【００４２】
幾つかの実施形態において、車載カメラ１０における左右の両側壁部には一対の凸部１２，１２（一対の係合部）がそれぞれ設けられてもよい。凸部１２は、例えば、車載カメラ１０の右側面から右方向に向けて突設された略円柱状の凸部を含んでもよいし、車載カメラ１０の左側面から左方向に向けて突設された略円柱状の凸部を含んでもよい。なお、一対の凸部１２，１２は、例えば、側面視にて円柱の一部に凸部又は角部を有する形状としてもよい。
なお、車載ユニットは車載カメラ１０に限定されず、例えば、ＰＧＳ情報を取得するＰＧＰＳユニットや放送信号を受信するＴＶ受像機、又は、各種計測装置等であってもよい。
【００４３】
［ブラケット］
図１に示すように、幾つかの実施形態において、ブラケット２０は、概略板状の平板を加工してなる板部材により構成されてもよい。幾つかの実施形態において、ブラケット２０は、例えば、樹脂又は金属により形成されてもよい。樹脂の場合は、例えば、射出成型等によりブラケット２０を形成してもよく、金属の場合は、例えば、プレス加工や鍛造によりブラケット２０を形成してもよい。幾つかの実施形態において、ブラケット２０は、その上面（表面）側がフロントガラス又はルーフの内面に当接され、接着又はねじ止め等の固定手段により車両に取り付けられる。
【００４４】
幾つかの実施形態において、ブラケット２０は、上記レンズ部１５を露出させて前方を含む周辺領域を撮像可能とするためのレンズ孔２７と、このレンズ孔２７から露出したレンズ部１５の視野を確保するため前方に向けて拡開された凹部２８と、凹部２８の上面に形成された複数の凹凸部を含む反射防止面２９と、を備えている。
【００４５】
図１乃至図３に示すように、幾つかの実施形態において、ブラケット２０は、その前端における左右の少なくとも一方に、車載カメラ１０の凸部１１と係合するための第１係合部としてのブラケット先端部２１を備えている。幾つかの実施形態では、ブラケット先端部２１は、ブラケット２０における前端の左右両方に設けられる。このブラケット先端部２１は、車両に対する車載ユニットの取り付け位置（配置）や、車載ユニットの重量、必要とされるホールド性等に応じて、ブラケット２０の前端における左右両方に設けるか左右何れか一方に設けるかを任意に選択して設定すればよく、例えば、上述した車載カメラ１０の凸部１１に対応する部分に少なくとも設けられていればよい。
【００４６】
幾つかの実施形態において、ブラケット先端部２１は、車載カメラ１０の前端部に設けられた凸部１１（前方側凸部）が係合される凹部２２を含む（例えば、図２参照）。幾つかの実施形態において、ブラケット先端部２１の凹部２２は、上記凸部１１を円滑に案内するための湾曲形状の周縁を有していてもよい（例えば、図４参照）。具体的に、ブラケット２０のブラケット先端部２１は、その後方側の端部、即ち、車載カメラ１０の凸部１１を迎え入れる側の端部が、後方に向けて拡開するように形成されたガイド部２４となっていてもよい。換言すれば、ブラケット先端部２１は、その後方側の端部が、該ブラケット先端部２１と係合する車載カメラ１０の凸部１１に向けて凸となる曲面（Ｒ部）を有するガイド部２４として形成されてもよい。
【００４７】
幾つかの実施形態において、ブラケット２０は、該ブラケット２０に対する車載カメラ１０の挿入方向（又は装着方向）、即ち、ブラケット先端部２１に対する凸部１１の挿入方向と、該ブラケット２０に対する板ばね３０の挿入方向（装着方向）とが概略同一方向となるように構成される。即ち、ブラケット先端部２１は、ブラケット２０の一端側に配されて車載カメラ１０を付勢する板ばね３０に対して該ブラケット２０の他端側に設けられる。換言すれば、幾つかの実施形態では、例えば、車載カメラ１０の後端部又は凸部１２を各板ばね３０が後方側から前方側に向けてブラケット２０側に押圧する構成とした場合、ブラケット２０は、板ばね３０の前方に位置し、車載カメラ１０の前端部と係合可能に構成された少なくとも一つのブラケット先端部２１を含むように構成される。幾つかの実施形態では、ブラケット２０は、この少なくとも１つのブラケット先端部２１を有することにより、車載カメラ１０と係合可能に構成される。
【００４８】
幾つかの実施形態において、ブラケット２０は、車載カメラ１０の両側壁部にそれぞれ設けられた一対の凸部１２，１２（一対の係合部）と係合可能に構成された一対のフック２５，２５（第２係合部）をさらに含んでもよい（例えば、図２、図６及び図９乃至１１参照）。
【００４９】
各フック２５は、ブラケット２０の上面から下方側に向けて延在するように曲成された両側壁部の後方側において、該ブラケット２０の後方側に向けて突出するように延設されている。即ち、各々のフック２５は、当該各フック２５に係合する一対の係合部を押圧する板ばね３０の付勢方向の上流側に向けて、或いは、ブラケット２０に対する板ばね３０の挿入方向の上流側に向けて、その先端部が突出するように形成される。なお、本明細書において「曲成」は形状表現であり、加工法を限定するものではない。
【００５０】
幾つかの実施形態では、例えば、ブラケット２０のフック２５に、上述した車載カメラ１０における凸部１２，１２の側面視における凸部又は角部と合致する形状の凹部を設けてもよい。このようにすれば、例えば、ブラケット２０に対する車載カメラ１０の保持性或いは装着性を向上させて両者を好適に合致させることができるため、可能な限り余裕代を低減させてフック２５を前後方向に対して短く形成することができる。
【００５１】
幾つかの実施形態において、ブラケット２０は、車載カメラ１０の前端部を１つのブラケット先端部２１により保持するとともに、車載カメラ１０の後端部側において２つの板ばね３０（付勢部材）により車載カメラ１０を前方に付勢することで、車載カメラ１０を３点支持するように構成されてもよい（例えば、図１参照）。この場合、２つの板ばね３０により、車載カメラ１０の後端部の２箇所を前方に付勢する構成としてもよいし、２つのフック２５、２５（第２係合部）によってそれぞれ係止された一対の凸部１２，１２を、２つの板ばね３０，３０によってフック２５、２５にそれぞれ押圧する構成としてもよい。
【００５２】
他の実施形態において、ブラケット２０は、車載カメラ１０の前端部を２つのブラケット先端部２１により保持するとともに、車載カメラ１０の後端部側において１つの板ばね３０により車載カメラ１０を前方に付勢することで、車載カメラ１０を３点支持するように構成されてもよい。
【００５３】
図５及び図６に示すように、幾つかの実施形態において、ブラケット２０には、板ばね３０のうち屈曲部３１を含む部位が挿入される挿入孔２６が設けられる。幾つかの実施形態において、挿入孔２６は、ブラケット２０の後端部が略垂直方向（略上下方向）に曲成されてなる垂直端部を前後方向に貫通するようにして形成されてもよい。
【００５４】
幾つかの実施形態において、挿入孔２６は、正面視（又は背面視）にて略矩形の長方形状に形成されてもよい。幾つかの実施形態において、挿入孔２６は、その左右方向の長さが板ばね３０の左右方向の長さと略同一に形成されてもよく、該挿入孔２６に対して板ばね３０が挿入可能な寸法及び形状に形成される。
【００５５】
［付勢部材］
幾つかの実施形態において、各々の板ばね３０は、ブラケット２０に対して着脱自在に設けられてもよい。具体的に、各板ばね３０は、例えば、図５及び図６に示すように、ブラケット２０の挿入孔２６に対して、後方側から前方側に向けて着脱自在に設けられる。
【００５６】
幾つかの実施形態において、板ばね３０は、ブラケット２０に保持された状態において、該ブラケット２０に係合した車載カメラ１０に付勢力を付与しない退避位置（例えば、図６及び図９参照）と、ブラケット２０に係合した車載カメラ１０をブラケット２０側に押し付ける押圧位置（例えば、図１、図２及び図１０参照）との間でブラケット２０に対して移動可能に構成されている。
【００５７】
幾つかの実施形態において、各々の板ばね３０は、押圧位置において車載カメラ１０に当接する屈曲部３１と、該屈曲部３１を介して接続される一対のアーム部３２と、を備えている。具体的には、図７（ａ）に示すように、幾つかの実施形態における板ばね３０は、屈曲部３１を挟んで上方側に配置される一方のアーム部３２（上方側アーム部）と、屈曲部３１を挟んで下方側に配置される他方のアーム部３２（下方側アーム部）とを含んで構成される。板ばね３０は、いずれの方向にも付勢力を作用させない中立状態において、一対のアーム部３２，３２が所定の角度を維持するようになっていてもよい（図７（ａ）参照）。幾つかの実施形態において、板ばね３０は、中立状態において一対のアーム部３２、３２のなす角が鋭角（＜９０°）となるように形成されてもよい。
【００５８】
幾つかの実施形態において、各々の板ばね３０は、当該板ばね３０が退避位置にあるときにブラケット２０に係止される第１山部３３と、該板ばね３０が押圧位置にあるときにブラケット２０に係止される第２山部３４と、を含む。第１山部３３及び第２山部３４は、ブラケット２０に対する板ばね３０の第１係止部及び第２係止部としてそれぞれ機能する。第１係止部は、ブラケット２０に対する板ばね３０の挿入方向において第２係止部よりも下流側に設けられる。上記一対のアーム部３２のうち一方には、これら第１山部３３及び第２山部３４の両方が設けられており、上記屈曲部３１の近位側から遠位端に向けて第１山部３３及、第２山部３４の順に配置される。幾つかの実施形態では、ブラケット２０の挿入孔２６に取り付けた際に上方側となる一方のアーム部３２に第１山部３３及び第２山部３４が設けられる。幾つかの実施形態では、他方のアーム部３２に第１山部３３のみが設けられる。
【００５９】
幾つかの実施形態において、上記第１山部３３及び第２山部３４は、一対のアーム部３２の各々が互いに離れる方向に向けて凸となるように形成されてもよい。幾つかの実施形態において、第１山部３３及び第２山部３４は、後方側に向けて鋭角に突出するように鈎状に曲成されていてもよい。幾つかの実施形態において、板ばね３０は、一枚の長尺な平板状のばね材を曲げ加工等することにより一体に形成されてもよい。
【００６０】
なお、各第１山部３３は、車載カメラ１０を押圧しない退避位置において、板ばね３０をブラケット２０に対して一定の位置に仮止めし得る程度の強度を備えていればよい。したがって、幾つかの実施形態では、この第１山部３３を、例えば、図７（ｂ）に示すように、板ばね３０における一方のアーム部３２（上方側アーム部）の一部に後方側が自由端となるように切れ込みを入れ、その後端部を外側（図７（ｂ）において上方側）に起こすように変形させることで形成した第１山部３３Ａとしてもよい。この場合も、板ばね３０は、一枚の長尺な平板状のばね材を曲げ加工等することにより一体に形成され得る。
他の実施形態では、他の第１山部３３（他方のアーム部３２に形成される第１山部３３）や第２山部３４を切れ込みによって形成してもよい。
【００６１】
幾つかの実施形態において、板ばね３０は、その両端部、即ち、屈曲部３１に対して遠位端となる各アーム部３２の端部に、両アーム部３２が離れる方向に向けて曲成された保持部３５を備えている。幾つかの実施形態において、各保持部３５はアーム部３２と略垂直に曲成されていてもよい。作業者は、この保持部３５を保持することで、板ばね３０を保持することができる。また、作業者は、板ばね３０の付勢力に抗して、各保持部３５が接近するようにして板ばね３０に押圧力を付与することにより、アーム部３２同士を接近させて板ばね３０を上下方向に薄く畳むように変形させることができる。そして、板ばね３０は、このように畳まれた状態で挿入孔２６に挿入され得るようになっている。幾つかの実施形態において、板ばね３０は、例えば、ブラケット２０の挿入孔２６に後方側から挿入された際、挿入孔２６の縁部に保持部３５が係止されることにより、前方側へ脱落しないように形成されていてもよい。
【００６２】
幾つかの実施形態において、下方側に配置される他方のアーム部３２には、屈曲部３１に連続して当接部３７が形成される。当接部３７は、屈曲部３１から後方側に向けて下方に傾斜した傾斜部として構成される。かかる当接部３７は、板ばね３０が後方から前方に向けて挿入されて押圧位置に配置された状態において、車載カメラ１０の凸部１２を前方に向けて押圧するようにしてもよいし、前方と下方との間となる斜め方向に押圧するようにしてもよいし、或いは、略下向きに押圧（例えば、図１０参照）するようにしてもよい。このように、当接部３７は、車載カメラ１０を押圧したい方向に応じてその傾斜角度を任意に設定して形成されてもよい。
【００６３】
幾つかの実施形態において、各々の板ばね３０は、退避位置において、凸部１２，１２（一対の係合部）がそれぞれブラケット２０のフック２５、２５（一対の第２係合部）に係合するようにブラケット先端部２１（第１係合部）を回動中心として車載カメラ１０を回動させたとき、車載カメラ１０と干渉しないように構成されてもよい（例えば、図９参照）。つまり、各々の板ばね３０は、退避位置に配置された状態では、ブラケット先端部２１を回動中心として車載カメラ１０が回動される際に該車載カメラ１０の回動を阻止しない（妨げない）ようになっている。
【００６４】
上記板ばね３０は、１つの車載ユニットホルダ１に対して少なくとも一つ設けられる。１つの車載ユニットホルダ１に対して１つの板ばね３０を設けた場合、少なくとも一つの板ばね３０は、車載カメラ１０の後端部のうち車載カメラ１０の幅方向中央領域を前方側に押圧するように構成してもよい。このようにすれば、部品点数を少なく低コストに車載ユニットホルダ１を構成することができる。
幾つかの実施形態では、１つの車載ユニットホルダ１につき２つ（複数）の板ばね３０が設けられる。この場合、少なくとも一つの板ばね３０は、車載カメラ１０の一対の係合部１２，１２をそれぞれフック２５（第２係合部）に向けて付勢するための一対のばねを含むこととなる。
他の実施形態では、１つの車載ユニットホルダ１につき３つ以上（複数）の板ばね３０を設けてもよい。
【００６５】
幾つかの実施形態において、車載ユニットホルダ１は、板ばね３０，３０（一対のばね）を連結する連結部３６をさらに備えていてもよい（例えば、図８参照）。このようにすれば、一対の板ばね３０，３０を連結部３６により連結したので、該一対の板ばね３０，３０を一度に移動させることができ、ブラケット２０に対する車載カメラ１０の着脱作業の効率化を図ることができる。幾つかの実施形態において、連結部３６は、各板ばね３０、３０における一方のアーム部３２，３２（上方側アーム部３２，３２）をそれぞれ連結するように設けられてもよいし、各板ばね３０、３０における他方のアーム部３２，３２（下方側アーム部３２，３２）をそれぞれ連結するように設けられてもよいし、その両方に設けられていてもよい。
【００６６】
［着脱動作］
次に、上記の構成を備えた車載ユニットホルダ１に対する車載カメラ１０（車載ユニット）の着脱方法について説明する。
なお、以下の説明では、車載ユニットホルダ１のブラケット２０が予め車室内における所定の位置（例えば、フロントガラスとルームミラーとの間のルーフ内面）に接着又はねじ止め等により取り付けられた状態であるとして説明する。また、以下の説明では、各板ばね３０が、第１山部３３及び第２山部３４を有する一方のアーム部３２（上方側アーム部）を上向きにしてブラケット２０の挿入孔２６に対して後方側から前方側に予め挿入され、退避位置に係止された状態を開始状態として説明する。退避位置では、板ばね３０の弾性力によって該板ばね３０が上下に拡開し、挿入孔２６の上縁部には上向きの付勢力が、挿入孔２６の下縁部には下向きの付勢力がそれぞれ作用し、板ばね３０がブラケット２０の挿入孔２６に係止されている。
【００６７】
本発明の少なくとも幾つかの実施形態に係る車載ユニットの着脱方法は、車載カメラ１０とブラケット２０との係合状態を切り替えることと、少なくとも一つの板ばね３０がブラケット２０に保持された状態で、ブラケット２０に係合した車載カメラ１０に付勢力を付与しない退避位置と、ブラケット２０に係合した車載カメラ１０をブラケット２０側に押し付ける押圧位置との間で各々の板ばね３０をブラケット２０に対して移動させることと、を備える。
【００６８】
幾つかの実施形態において、作業者は、ブラケット先端部２１に対して車載カメラ１０の凸部１１を後方から前方に移動させながら係合させる（例えば、図３参照）。その後、凸部１１を支点として該凸部１１を中心に車載カメラ１０の後端側を上向きに回動させ、車載カメラ１０の両側部の後端側に設けられた凸部１２，１２をブラケット２０のフック２５，２５にそれぞれ係合させる（例えば、図９参照）。
続いて、作業者は、板ばね３０の保持部３５，３５を上下方向から挟持して板ばね３０を上下方向に薄く畳み、退避位置からさらに前方に向けて板ばね３０を挿入する（例えば、図１０参照）。そして、板ばね３０の当接部３７が車載カメラ１０の凸部１２に当接した後、さらに挿入して凸部１２をブラケット２０側に押圧し、各アーム部３２，３２の第２山部３４、３４がそれぞれ挿入孔２６，２６を通過した位置（押圧位置）で保持部３５，３５を開放する。これにより、板ばね３０の弾性力によって該板ばね３０が上下に拡開し、板ばね３０がブラケット２０の挿入孔２６に対して押圧位置で係止される（例えば、図１１参照）。
【００６９】
車載カメラ１０を取り外す際は、逆の手順で行う。即ち、作業者が保持部３５，３５を保持し、各第１山部３３、３３が挿入孔２６，２６にそれぞれ係止される位置（退避位置）まで板ばね３０，３０を後方に移動させて退避させる。そして、凸部１２，１２をフック２５，２５から係合解除して車載カメラ１０の後端側を下方に回動させ、ブラケット先端部２１から車載カメラ１０の凸部１１を係合解除して車載カメラ１０を取り外す。このようにして、車載カメラ１０とブラケット２０との係合状態が切り替えられる。
【００７０】
幾つかの実施形態では、保持部３５，３５のうち、何れか一方（例えば、第１山部３３及び第２山部３４を有する一方のアーム部３２）を他方側の保持部３５に向けて押下することで板ばね３０を上下方向に薄く畳んでもよい。この場合、上記一方の保持部３５を１本の指で操作してもよいし２本以上の指で操作してもよい。また、板ばね３０を上下方向に薄く畳む動作に加えて、上下方向に薄く畳まれた状態の板ばね３０を退避位置と押圧位置との間で移動させる動作も１本の指又は２本以上の指で操作することとしてもよい。
【００７１】
上述した幾つかの実施形態に係る車載ユニットの支持装置（車載ユニットホルダ１）によれば、退避位置と押圧位置との間で板ばね３０を移動させることで、ブラケット２０への車載カメラ１０の状態（固定状態又は固定解除状態）を切り替えることができる。よって、板ばね３０の移動によって、車載カメラ１０のブラケット２０への着脱作業を容易に行うことができる。
また、車載カメラ１０の凸部１２，１２をブラケット２０のフック２５、２５に引掛ける動作、および板ばね３０で凸部１２，１２を押圧して固定する動作を順番（２アクション）で行う構造のため、ブラケット２０に対する車載ユニット（車載カメラ１０）の固定不良の発生を防止できる。また、引掛ける動作の時に無負荷であるため、固定作業が容易である。
また、板ばね３０をブラケット２０に固定する際、該板ばね３０を挿入孔２６に挿入するだけでよいので、固定が容易である。
また、板ばね３０はブラケット２０に対して着脱可能に係合されているだけなので、使用による板ばね３０のばね力低下や、車載カメラ１０の仕様変更による板ばね３０のばね力変更等で板ばね３０を交換する必要がある場合、ブラケット２０を交換しなくても板ばね３０のみを交換することが可能となる。
【００７２】
なお、各板ばね３０をブラケット２０から外す際は、挿入孔２６に対して各板ばね３０を前方側から後方側に引き抜く。その際、作業者は、板ばね３０の保持部３５，３５が互いに接近するようにして該板ばね３０を上下方向に対して薄く畳み、この状態で、上下のアーム部３２，３２各々の第１山部３３，３３が挿入孔２６を通過するまで後方に引き抜く。
【００７３】
［第２実施形態］
続いて、本発明を車載カメラホルダ１に適用した第２実施形態について説明する。
図１２及び図１３に示すように、幾つかの実施形態において、付勢部材は、例えば、略平板状のばね材における前後の端部をそれぞれ下方側に曲成してなる板ばね３０Ａ又は板ばね３０Ｂであってもよい。
図１２に示すように、幾つかの実施形態において、板ばね３０Ａは、前端側が下方側に向けて鋭角に曲成されて当接部３７Ａとされ、後端側が下方側に向けて略垂直に曲成されて保持部３５Ａとなっていてもよい。板ばね３０Ａは、前後の端部の間をなす胴部に、前後に並んで形成された少なくとも２つの貫通孔（退避用貫通孔３８Ａａ，保持用貫通孔３８Ａｂ）を備えてもよい。各貫通孔３８Ａａ，３８Ａｂは、ともに左右方向（車幅方向）に沿う略同形（長孔）状の貫通孔であり、ブラケット２０Ａに対する板ばね３０Ａの第１係止部及び第２係止部としてそれぞれ機能する。
板ばね３０Ａの胴部において、前後方向に沿う左右の縁部には、該胴部から下方側に向けて斜めに曲成された折曲部４０Ａが設けられていてもよい。即ち、この折曲部４０Ａにより、板ばね３０Ａの胴部が上方に支持された状態となり、胴部に対して下方への押圧力を作用させると、折曲部４０Ａが弾性力に抗して左右に広げられて胴部の厚さが薄くなり、下方に向かう胴部の移動が許容される。
ブラケット２０Ａには、板ばね３０Ａが前後方向に貫通可能な挿入孔２６Ａが設けられてもよい。挿入孔２６Ａの上縁部には、上記貫通孔３８Ａ及び３８Ｂと係合可能な凸部５０が設けられていてもよい。
板ばね３０Ａは、ブラケット２０の挿入孔２６Ａに退避用貫通孔３８Ａａが係止された状態で退避位置とされ、保持用貫通孔３８Ａｂが係止された状態で押圧位置とされてもよい。
【００７４】
＜変形例＞
図１３に示すように、幾つかの実施形態において、板ばね３０Ｂは、前端側が下方側に向けて鋭角に曲成されて当接部３７Ｂとされ、後端側が下方側に向けて略垂直に曲成されて保持部３５Ｂとなっていてもよい。板ばね３０Ｂは、前後の端部の間をなす胴部において、前後方向に沿う左右の縁部に、該胴部から上方側に向けて斜めに曲成された折曲部４０Ｂが設けられていてもよい。そして、板ばね３０Ｂは、折曲部４０における左右の端部において前後に並んで形成された少なくとも２つの切欠部（退避用切欠部３９Ｂａ，保持用切欠部３９Ｂｂ）を備えてもよい。各切欠部３９Ｂａ，３９Ｂｂは、ブラケット２０Ｂに対する板ばね３０Ｂの第１係止部及び第２係止部としてそれぞれ機能する。
板ばね３０Ｂは、ブラケット２０の挿入孔２６Ｂに退避用切欠部３９Ｂａが係止された状態で退避位置とされ、保持用切欠部３９Ｂｂが係止された状態で押圧位置とされてもよい。
【００７５】
本発明は上述した実施形態に限定されることはなく、上述した実施形態に変更を加えた形態や、これらの形態を組み合わせた形態も含む。
【符号の説明】
【００７６】
１  車載ユニットホルダ（車載ユニットの支持装置）
１０  車載カメラ（車載ユニット／カメラ本体）
１１  凸部（前方側凸部）
１２  凸部（一対の係合部）
１５  レンズ部
１６  ハウジング
２０，２０Ａ，２０Ｂ  ブラケット
２１  ブラケット先端部（第１係合部）
２２  凹部
２３  周縁部
２４  ガイド部
２５  フック（第２係合部）
２６，２６Ａ，２６Ｂ  挿入孔
２７  レンズ孔
２８  凹部
２９  反射防止面
３０，３０Ａ，３０Ｂ  板ばね（押圧部材／付勢部材）
３１  屈曲部
３２  アーム部
３３，３３Ａ  第１山部（第１係止部）
３４  第２山部（第２係止部）
３５，３５Ａ，３５Ｂ  保持部
３６  連結部
３７，３７Ａ，３７Ｂ  当接部
３８Ａａ，３８Ａｂ  貫通孔
３９Ｂａ，３９Ｂｂ  切欠部
４０Ａ，４０Ｂ  折曲部
５０  凸部
【図１】
2018144712.tif 000003
【図２】
2018144712.tif 000004
【図３】
2018144712.tif 000005
【図４】
2018144712.tif 000006
【図５】
2018144712.tif 000007
【図６】
2018144712.tif 000008
【図７】
2018144712.tif 000009
【図８】
2018144712.tif 000010
【図９】
2018144712.tif 000011
【図１０】
2018144712.tif 000012
【図１１】
2018144712.tif 000013
【図１２】
2018144712.tif 000014
【図１３】
2018144712.tif 000015